(57)【要約】【課題】携帯情報端末の外部接続端子を容易に利用することが可能となる携帯情報端末用アクセサリを提供する。【解決手段】携帯情報端末１０００を装飾するために用いられる携帯情報端末用アクセサリ１であって、携帯情報端末１０００の外部接続端子に接続される第一の端子１０１と、第一の端子１０１と電気的に接続された第二の端子１０２と、第一の端子１０１と第二の端子１０２との間に設けられた装飾部材１０３とを備えるようにした。【選択図】図１
2015095852.tif 000002
【特許請求の範囲】
【請求項１】
携帯情報端末を装飾するための携帯情報端末用アクセサリであって、
携帯情報端末の外部接続端子に接続される第一の端子と、
前記第一の端子と電気的に接続された第二の端子と、
前記第一の端子と第二の端子との間に設けられた装飾部材とを備えた携帯情報端末用アクセサリ。
【請求項２】
前記第一の端子は、携帯情報端末の外部接続端子である充電用端子と接続されるコネクタである請求項１記載の携帯情報端末用アクセサリ。
【請求項３】
前記第二の端子は、電源プラグであり、
前記第一の端子と第二の端子との間に、当該第二の端子である電源プラグを介して供給される交流電流を直流電流に変換する変換器を更に備えた請求項２記載の携帯情報端末用アクセサリ。
【請求項４】
前記第二の端子は、直流電流を供給する電源と電気的に接続可能なコネクタである請求項２記載の携帯情報端末用アクセサリ。
【請求項５】
前記第一の端子は、携帯情報端末の外部接続端子であるイヤホンジャックと接続されるイヤホンプラグであり、
前記第二の端子は、イヤホンプラグと接続されるイヤホンジャックである請求項１記載の携帯情報端末用アクセサリ。
【請求項６】
導電性を有する１以上の球体を備えた接点方式の振動センサと、
前記振動センサが振動を検知した場合に、前記第一の端子と接続された外部接続端子を介して、当該外部接続端子を有する携帯情報端末に起動指示を出力する起動指示出力部と、を更に備えた請求項１から請求項５いずれか一項記載の携帯情報端末用アクセサリ。
【請求項７】
前記第一の端子が、携帯情報端末が有する外部接続端子に常時接続される請求項１から請求項６いずれか一項記載の携帯情報端末用アクセサリ。
【発明の詳細な説明】
【技術分野】
【０００１】
本発明は、携帯情報端末に取り付けて用いられるアクセサリ等に関するものである。
【背景技術】
【０００２】
従来の携帯情報端末用アクセサリとして、金属製で、イヤホンジャックに挿入される円柱状の挿入部と、挿入部の露出側に設けられた装飾部と、を備え、挿入部の外周に、リング状の溝で、イヤホンジャックとの電気的導通を回避する回避部が形成されているものが知られていた（例えば、特許文献１参照）。
【先行技術文献】
【特許文献】
【０００３】
【特許文献１】特開２０１３−８５０１２号公報（第１頁、第１図等）
【発明の概要】
【発明が解決しようとする課題】
【０００４】
しかしながら、従来の携帯情報端末用アクセサリは、携帯情報端末の外部接続端子に挿入された状態で利用されるため、外部接続端子を電流や電気信号の入出力等の本来の目的で利用する際には、携帯情報端末用アクセサリを取り外さなければならず、携帯情報端末の外部接続端子を容易に利用することができない、という課題があった。例えば、上述したような外部接続端子であるイヤホンジャックに挿入して用いられる携帯情報端末用アクセサリにおいては、イヤホンを利用する際には、イヤホンジャックに挿入された携帯情報端末用アクセサリを外してから、イヤホンプラグをイヤホンジャックに挿入しなければならず、手間がかかるとともに、外した携帯情報端末用アクセサリーを紛失しないよう保管しなればならず、管理が煩わしくなってしまうという問題があった。
【０００５】
本発明は、このような課題を解消するためになされたものであり、携帯情報端末の外部出力端子を容易に利用することができる携帯情報端末用アクセサリを提供することを目的とする。
【課題を解決するための手段】
【０００６】
本発明の携帯情報端末用アクセサリは、携帯情報端末を装飾するための携帯情報端末用アクセサリであって、携帯情報端末の外部接続端子に接続される第一の端子と、第一の端子と電気的に接続された第二の端子と、第一の端子と第二の端子との間に設けられた装飾部材とを備えた携帯情報端末用アクセサリである。
【０００７】
かかる構成により、例えば、携帯情報端末の外部出力端子に接続する必要がある端子等を、第二の端子に接続することにより、携帯情報端末の外部接続端子を容易に利用することができる。また、第二の端子に他の端子等を接続しない状態においては、例えば、携帯情報端末用アクセサリを、装飾用のアクセサリとして用いることができる。
【０００８】
また、本発明の携帯情報端末用アクセサリは、前記携帯情報端末用アクセサリにおいて、第一の端子は、携帯情報端末の外部接続端子である充電用端子と接続されるコネクタである携帯情報端末用アクセサリである。
【０００９】
かかる構成により、例えば、第二の端子に、直流電流を供給する電源の外部出力端子を接続することにより、携帯情報端末の外部接続端子である充電用端子に直流電源を供給して、携帯情報端末用アクセサリを取り外すことなく、携帯情報端末を容易に充電することができる。
【００１０】
また、本発明の携帯情報端末用アクセサリは、前記携帯情報端末用アクセサリにおいて、第二の端子は、電源プラグであり、第一の端子と第二の端子との間に、第二の端子である電源プラグを介して供給される交流電流を直流電流に変換する変換器を更に備えた携帯情報端末用アクセサリである。
【００１１】
かかる構成により、例えば、携帯情報端末を取り付けた状態で、携帯情報端末用アクセサリの第二の端子である電源プラグを、商用電源に差し込むことで、携帯情報端末用アクセサリを取り外すことなく、携帯情報端末を容易に充電することができる。
【００１２】
また、本発明の携帯情報端末用アクセサリは、前記携帯情報端末用アクセサリにおいて、第二の端子は、直流電流を供給する電源と電気的に接続可能なコネクタである携帯情報端末用アクセサリである。
【００１３】
かかる構成により、例えば、携帯情報端末を取り付けた状態で、携帯情報端末用アクセサリの第二の端子を電源のコネクタと接続することで、携帯情報端末用アクセサリを取り外すことなく、携帯情報端末を容易に充電することができる。
【００１４】
また、本発明の携帯情報端末用アクセサリは、前記携帯情報端末用アクセサリにおいて、第一の端子は、携帯情報端末の外部接続端子であるイヤホンジャックと接続されるイヤホンプラグであり、第二の端子は、イヤホンプラグと接続されるイヤホンジャックである携帯情報端末用アクセサリである。
【００１５】
かかる構成により、例えば、携帯情報端末を取り付けた状態で、携帯情報端末用アクセサリの第二の端子であるイヤホンジャックに、イヤホン等のイヤホンプラグを挿入するることで、携帯情報端末用アクセサリを取り外すことなく、携帯情報端末が出力する音声を、イヤホン等から出力することができる。
【００１６】
また、本発明の携帯情報端末用アクセサリは、前記携帯情報端末用アクセサリにおいて、導電性を有する１以上の球体を備えた接点方式の振動センサと、振動センサが振動を検知した場合に、第一の端子と接続された外部接続端子を介して、外部接続端子を有する携帯情報端末に起動指示を出力する起動指示出力部と、を更に備えた携帯情報端末用アクセサリである。
【００１７】
かかる構成により、携帯情報端末用アクセサリまたは携帯情報端末用アクセサリが取り付けられた携帯情報端末を動かすことにより、携帯情報端末を起動させることができる。
【００１８】
また、本発明の携帯情報端末用アクセサリは、前記携帯情報端末用アクセサリにおいて、第一の端子が、携帯情報端末が有する外部接続端子に常時接続される携帯情報端末用アクセサリである。
【００１９】
かかる構成により、携帯情報端末用アクセサリを、装飾用のアクセサリとして利用することができる。
【発明の効果】
【００２０】
本発明による携帯情報端末用アクセサリによれば、携帯情報端末の外部接続端子を容易に利用することができる。
【図面の簡単な説明】
【００２１】
【図１】本発明の実施の形態１における携帯情報端末用アクセサリを説明するための斜視図（図１（ａ））、及び携帯情報端末用アクセサリを携帯情報端末に取り付けた状態を示す斜視図（図１（ｂ））
【図２】同携帯情報端末用アクセサリの第一の変形例を示す図（図２（ａ））、及び第二の変形例を示す図（図２（ｂ））
【図３】本発明の実施の形態２における携帯情報端末用アクセサリの回路図（図３（ａ））、背面型からみた第一の斜視図（図３（ｂ））、背面側からみた第二の斜視図（図３（ｃ））、使用例を説明するための図（図３（ｄ））
【図４】本発明の実施の形態３における携帯情報端末用アクセサリを説明するための斜視図（図４（ａ））、携帯情報端末用アクセサリを携帯情報端末に取り付けた状態を示す斜視図（図４（ｂ））、及び携帯情報端末用アクセサリの変形例を示す斜視図（図４（ｃ））
【図５】本発明の実施の形態４における携帯情報端末用アクセサリを説明するためのブロック図
【図６】同携帯情報端末用アクセサリの振動センサの一例を説明するための、振動センサの鉛直方向に沿った断面図（図６（ａ））及び振動センサが有するセンサ部の一部切り欠き斜視図（図６（ｂ））を示す図
【図７】同携帯情報端末用アクセサリのセンサ部の第二電極の上面模式図（図７（ａ））、及び、第一電極をセンサ部４０２の上面側からみた模式図（図７（ｂ））
【図８】同携帯情報端末用アクセサリのセンサ部の第一の変形例（図８（ａ）、第二の変形例（図８（ｂ）、第三の変形例（図８（ｃ）、第４の変形例（図８（ｄ）、及び第五の変形例（図８（ｅ））を示す模式図
【発明を実施するための形態】
【００２２】
以下、携帯情報端末用アクセサリ等の実施形態について図面を参照して説明する。なお、実施の形態において同じ符号を付した構成要素は同様の動作を行うので、再度の説明を省略する場合がある。
【００２３】
（実施の形態１）
図１は、本実施の形態における携帯情報端末用アクセサリを説明するための斜視図（図１（ａ））、及び、携帯情報端末用アクセサリを携帯情報端末に取り付けた状態を示す斜視図（図１（ｂ））である。
【００２４】
携帯情報端末用アクセサリ１は、第一の端子１０１、第二の端子１０２、装飾部材１０３を備える。
【００２５】
携帯情報端末用アクセサリ１は、携帯情報端末１０００を装飾するためのアクセサリである。ここでのアクセサリとは、例えば、携帯情報端末１０００の付属品や、携帯情報端末とともに用いられるものを意味すると考えてよい。携帯情報端末用アクセサリ１は、装飾性を有するアクセサリである。装飾性を有するとは、例えば、携帯情報端末１０００を飾るための役割や用途等を有することを意味すると考えてもよい。装飾性を有するとは、例えば、単にアクセサリの機能を表すためのデザインや、機能を付加するためのデザイン（例えば、滑り止めのための形状）等を含まないものと考えてもよい。携帯情報端末用アクセサリ１は、例えば、常時、携帯情報端末１０００に取り付けられるアクセサリである。携帯情報端末用アクセサリ１は、例えば、第一の端子１０１と、携帯情報端末１０００の一の外部接続端子とが接続されることによって、携帯情報端末１０００に取り付けられる。ただし、第一の端子１０１と外部接続端子とが接続されていれば、携帯情報端末用アクセサリ１は、第一の端子１０１以外の部分でも携帯情報端末１０００と取り付けられていてもよい。携帯情報端末用アクセサリ１は、例えば、携帯情報端末１０００の外部接続端子に取り付けて用いられるアクセサリと考えてもよい。
【００２６】
携帯情報端末１０００とは、例えば、いわゆるスマートフォン等の多機能携帯電話や、携帯電話、ＰＤＡ（Ｐｅｒｓｏｎａｌ  Ｄｉｇｉｔａｌ  Ａｓｓｉｓｔａｎｔ）、タブレット型端末、電子手帳、電子ブックリーダ、携帯ゲーム機等である。携帯情報端末１０００は、第一の端子１０１と接続可能な１以上の外部接続端子を有する端末である。携帯情報端末１０００は、例えば、直流電流により動作する端末である。
【００２７】
第一の端子１０１は、携帯情報端末１０００の外部接続端子に接続される端子である。第一の端子１０１は、例えば、携帯情報端末１０００の外部接続端子に対して、着脱可能となるよう接続される。第一の端子１０１は、例えば、コネクタである。第一の端子１０１が接続される携帯情報端末１０００の外部接続端子が、どのような仕様や用途の端子であるかは問わない。外部接続端子は、例えば、外部電源入力端子、充電用端子、イヤホン端子、ライン入力端子、ライン出力端子、ＵＳＢ端子等のシリアルバスの端子、パラレルバスの端子、情報の同期用の端子等である。第一の端子１０１は、例えば、この第一の端子１０１が接続される外部接続端子の規格に適合した端子である。
【００２８】
第一の端子１０１の形状等は問わない。第一の端子１０１は、例えば、プラグ等の凸型の端子であってもよく、ジャックやソケット等の凹型の端子であってもよい。第一の端子１０１は、この第一の端子が接続される携帯情報端末１０００の一の外部接続端子に対応した形状を有している。例えば、第一の端子１０１は、この第一の端子が接続される携帯情報端末１０００の一の外部接続端子に対応した形状を有するコネクタである。外部接続端子に対応した形状とは、例えば、外部接続端子に嵌合した形状である。
【００２９】
例えば、第一の端子１０１と接続される携帯情報端末１０００の外部接続端子が凹型の端子である場合、第一の端子１０１は、この凹型の端子に対応した凸型の端子である。また、例えば、第一の端子１０１と接続される携帯情報端末１０００の外部接続端子が凸型の端子である場合、第一の端子１０１は、この凸型の端子に対応した凹型の端子である。
【００３０】
具体例を挙げると、第一の端子１０１と接続される携帯情報端末１０００の外部接続端子が凹型の充電用端子である場合、第一の端子１０１は、この充電用端子に対応した形状を有する凸型のコネクタである。また、第一の端子１０１と接続される携帯情報端末１０００の外部接続端子が、凹型のＵＳＢ端子である場合、第一の端子１０１は、この凸型のＵＳＢ端子である。また、例えば、第一の端子１０１と接続される携帯情報端末１０００の外部接続端子が凹型のイヤホン端子、即ちいわゆるイヤホンジャックである場合、第一の端子１０１は、凸型のイヤホン端子、即ちいわゆるイヤホンプラグである。
【００３１】
第一の端子１０１は、例えば、携帯情報端末１０００の外部接続端子に常時接続されることが好ましい。第一の端子１０１を常時接続することで、携帯情報端末用アクセサリ１を、携帯情報端末１０００に常時取り付けておくことができ、携帯情報端末用アクセサリ１を、装飾用のアクセサリとして利用することができる。また、携帯情報端末１０００の外部接続端子を保護することができる。
【００３２】
なお、この実施の形態においては、携帯情報端末１０００が、外部接続端子として充電用端子１００１を有しており、第一の端子１０１が、この外部接続端子である充電用端子１００１と接続されるコネクタである場合を例に挙げて説明する。なお、充電用端子１００１は、ＵＳＢ端子等の、信号を送受信するための端子と、電源供給のための給電端子とを有する端子であってもよい。かかることは、他の電流を入出力する端子等においても同様である。なお、この実施の携帯においては、充電用端子１００１が、凹型の端子であり、第一の端子１０１が凸型の端子である場合を例に挙げて説明する。この第一の端子１０１は、例えば、携帯情報端末１０００の充電用端子１００１に対して直流電流を供給するための端子と考えてもよい。なお、充電用端子１００１は、結果的に、携帯情報端末１０００の充電に利用される端子であれば、携帯情報端末１０００に直流電流を供給するために用いられる端子であってもよい。
【００３３】
第二の端子１０２は、第一の端子１０１と電気的に接続された端子である。第二の端子１０２は、例えば、他の１以上の端子と、着脱可能となるよう接続される端子である。例えば、第二の端子１０２は、第一の端子１０１が接続される携帯情報端末１０００の外部接続端子に対して本来接続される端子（コネクタ）が、着脱可能となるよう接続されるコネクタである。第二の端子１０２は、どのような仕様や用途の端子であってもよい。第二の端子１０２としては、例えば、上述したような第一の端子１０１や、外部接続端子として利用可能な端子と同様の種類の端子が利用可能である。また、第二の端子１０２の形状等は問わない。例えば、第二の端子１０２は、上述したような携帯情報端末１０００の外部接続端子、例えば、充電用端子１００１と同様の形状の端子が用いられる。
【００３４】
第二の端子１０２が第一の端子１０１と電気的に接続されているということは、例えば、第一の端子１０１に入力された電流や電気信号が、第二の端子１０２から出力される状態であることや、第二の端子１０２に入力された電流や電気信号が、第一の端子１０１から出力される状態であることを意味すると考えてもよい。第二の端子１０２と第一の端子１０１とは、例えば、電線や信号線等を介して接続される。第二の端子１０２と、第一の端子１０１とは、電線や信号線等を介して直接接続されていてもよいし、電気回路や、電子回路や、抵抗等の電気部品や、電子部品等を介して接続されていてもよい。
【００３５】
なお、この実施の形態においては、第二の端子１０２が、直流電流を供給する電源と電気的に接続可能なコネクタであって、電源に対して着脱可能に接続されるコネクタである場合を例に挙げて説明する。つまり、第二の端子１０２は、直流電流を供給する電源と接続され、電源から供給される直流電流の入力を受け付ける場合について説明する。この場合の直流電流を供給する電源とは、例えば、図１（ａ）に示すような直流電流を出力するための端子である外部出力端子２００１を有する電源装置２０００である。この電源装置２０００は、例えば、直流電流を外部出力端子２００１から出力する装置である。この外部出力端子２００１は直流電流を出力するコネクタと考えてもよい。本実施の形態においては、電源装置２０００は、商用電源から電源プラグ２００２を介して交流電流の入力を受け付け、受け付けた交流電流を直流電流に変換して外部出力端子２００１から出力するいわゆるＡＣ−ＤＣアダプタである場合を例に挙げて説明する。
【００３６】
装飾部材１０３は、第一の端子１０１と第二の端子１０２との間に設けられた装飾性を有する部材である。第一の端子１０１と第二の端子１０２との間に設けられたとは、例えば、装飾部材１０３の少なくとも一部が第一の端子１０１と第二の端子１０２との間に設けられていることを意味する。装飾部材１０３が第一の端子１０１及び／または第二の端子１０２を有している場合も、装飾部材１０３の少なくとも一部が第一の端子１０１と第二の端子１０２との間に設けられていると考えてよい。装飾部材１０３が端子を有するということは、例えば、凹部が装飾部材１０３の表面に露出するよう、凹型の端子が装飾部材内に配置されている状態や、凸部が装飾部材１０３の表面に露出するよう、凸型の端子が装飾部材１０３内に配置されている状態も含む概念である。
【００３７】
この実施の形態においては、図１（ａ）に示すように、凹部が装飾部材１０３の表面に露出するよう、凹型の第二の端子１０２が、装飾部材１０３内に配置されており、凸部が装飾部材１０３の表面に露出するよう、凸型の第一の端子１０１が、装飾部材１０３内に配置されている場合を例に挙げて説明する。
【００３８】
装飾部材１０３は、例えば、装飾性を有する任意の形状を有する部材である。ここでの形状とは、例えば、平面形状や立体形状である。例えば、装飾部材１０３は、人形や、小動物、アニメーションや漫画、絵本等のキャラクタ等の形を模した形状を有する。例えば、装飾部材１０３は、いわゆるフィギュアやぬいぐるみ等であってもよい。また、装飾部材１０３は、装飾性を有する外観を備えた部材である。例えば、装飾部材１０３は、アニメーションのキャラクタの絵や、人物の写真等の装飾性を有する図柄が表面等に描かれた部材であってもよい。ここでの装飾部材１０３は、第一の端子１０１，第二の端子１０２、及びこれらを接続する配線等のうちの１以上が格納される筐体等と考えてもよい。
【００３９】
装飾部材１０３は、どのような材質であってもよく、金属、プラスチックや、木材、繊維、不織布、スポンジ、ウレタン等、材質は問わない。また、装飾部材１０３は、保型性を有する材質であっても、保型性を有さない材質であってもよい。ただし、装飾部材１０３の材質や形状は、第一の端子と第二の端子との間を流れる電流や信号に対して影響を与えにくい材質や形状であることが好ましい。
【００４０】
なお、本実施の形態１においては、装飾部材１０３が、装飾性を有する立体的な形状を有している場合を例に挙げて説明する。なお、図１に示した装飾部材１０３の形状等は、一例にすぎず、装飾性を有する他の形状等であってもよいことはいうまでもない。
【００４１】
つぎに、本実施の形態の携帯情報端末用アクセサリ１の使用例について説明する。ここでは、携帯情報端末１０００がいわゆるスマートフォンである場合を例に挙げて説明する。ただし、携帯情報端末１０００は、他の装置であってもよい。
【００４２】
図１（ｂ）に示すように、携帯情報端末用アクセサリ１の凸型の第一の端子１０１を、携帯情報端末１０００の凹型の充電用端子１００１に挿入することで、携帯情報端末用アクセサリ１が携帯情報端末１０００に取り付けられる。これにより、携帯情報端末用アクセサリ１は、携帯情報端末１０００を装飾するためのアクセサリとして用いられる。
【００４３】
次に、携帯情報端末１０００に対して充電を行う場合、ユーザが、電源装置２０００の電源プラグ２００２を商用電源のコンセント（図示せず）に差し込み、電源装置２０００の外部出力端子２００１を携帯情報端末１０００に取り付けた携帯情報端末用アクセサリ１の第二の端子１０２に挿入すると、電源プラグ２００２を介して商用電源から電源装置２０００に交流電流が入力される。入力された交流電流は、電源装置２０００内において変圧され、直流電流に変換されて、外部出力端子２００１から出力される。外部出力端子２００１から出力された直流電流は、携帯情報端末用アクセサリ１の第二の端子１０２に入力され、携帯情報端末用アクセサリ１の第一の端子１０１から出力される。第一の端子１０１から出力された直流電流は、携帯情報端末１０００の充電用端子１００１に入力され、充電用端子１００１に入力される直流電流により携帯情報端末１０００の充電が行われる。
【００４４】
以上のように、本実施の形態によれば、携帯情報端末用アクセサリ１を携帯情報端末１０００に取り付けた状態で、直流電流を供給する電源の外部出力端子２００１を第二の端子１０２に接続することにより、携帯情報端末１０００の外部接続端子である充電用端子１００１に直流電流を供給して、携帯情報端末１０００の充電を行うことができるため、携帯情報端末１０００の外部接続端子を容易に利用することができる。
【００４５】
また、携帯情報端末用アクセサリ１の第一の端子１０１を携帯情報端末１０００の外部接続端子である充電用端子１００１に取り付けておくことで、直流電流を供給する電源の外部出力端子２００１を第二の端子１０２に接続しない状態においては、携帯情報端末１０００を装飾することができる。
【００４６】
なお、本実施の形態においては、携帯情報端末用アクセサリ１の取り付け先となる携帯情報端末１０００の外部接続端子が、充電用端子である場合について説明したが、本発明においては、携帯情報端末用アクセサリ１の取り付け先となる携帯情報端末１０００の外部接続端子が、充電用端子以外の端子であってもよい。この場合、携帯情報端末用アクセサリ１は、例えば、この外部接続端子に入力あるいはこの外部接続端子から出力される電流や電気信号の入力や出力が可能な仕様や形状を有する第一の端子１０１や第二の端子１０２を備えるようにすればよい。
【００４７】
また、上記実施の形態においては、第一の端子１０１が凸型の電極である場合について説明したが、第一の端子１０１は、凹型の電極であってもよい。また、同様に、上記実施の形態においては、第二の端子１０２が凹型の電極である場合について説明したが、第二の端子１０２は、凸型の電極であってもよい。これらの電極の凹凸形状は、例えば、携帯情報端末１０００や、電源装置２０００のインターフェースの形状に応じて設定するようにすればよい。かかることは以下においても同様である。
【００４８】
図２は、本実施の形態の携帯情報端末用アクセサリの第一の変形例を示す図（図２（ａ））、及び第二の変形例を示す図（図２（ｂ））である。
【００４９】
上記実施の形態１においては、第一の端子１０１の凸部が装飾部材１０３の表面に露出するよう、第一の端子１０１が装飾部材１０３に取り付けられている場合について説明したが、図２（ａ）に示すように、第一の端子１０１は、被覆された電線等のコード１０４を介して装飾部材１０３と接続するようにしてもよい。なお、第一の端子１０１は、このコード１０４を介して、第二の端子１０２と電気的に接続するようにすればよい。このような場合においても、上記実施の形態ど同様の効果を奏する。
【００５０】
また、同様に、第二の端子１０２を、被覆された電線（図示せず）等を介して装飾部材１０３と接続するようにしてもよい。この場合も、第一の端子１０１は、この電線を介して、第二の端子１０２と電気的に接続するようにすればよい。このような場合においても、上記実施の形態ど同様の効果を奏する。
【００５１】
また、図１においては、装飾部材１０３が、装飾性を有する立体的な形状を有している場合を例に挙げて説明したが、本発明においては、装飾部材自体が装飾性を有する形状を有しているものでなくても、装飾性を有する図柄を表面に配置したり、ラインストーンや装飾用のシール等を貼り付けることによって、装飾性を与えたものであってもよい。例えば、図２（ｂ）に示すように、装飾部材１０３ａは、直方体の表面に、小動物のイラストレーションを描いたものであってもよい。このような場合においても、上記実施の形態と同様の効果を奏する。かかることは、以下においても同様である。なお、図２（ｂ）において、コード１０４を省略して、第一の電極１０１を、装飾部材１０３に直接取り付けるようにしてもよい。
【００５２】
（実施の形態２）
本実施の形態は、上記実施の形態１において説明した携帯情報端末用アクセサリの第二の端子を、電源プラグとしたものである。
【００５３】
図３は、本実施の形態の携帯情報端末用アクセサリの回路図（図３（ａ））、背面型からみた第一の斜視図（図３（ｂ））、背面側からみた第二の斜視図（図３（ｃ））、使用例を説明するための図（図３（ｄ））である。
【００５４】
携帯情報端末用アクセサリ２は、第一の端子２０１と、電源プラグ２０２と、装飾部材２０３と、変換器２０４とを備えている。
【００５５】
第一の端子２０１は、上述した第一の端子１０１と同様であるため、ここでは詳細な説明は省略する。なお、ここでは、第一の端子２０１は、携帯情報端末１０００の充電用端子１００１と接続される端子であるとする。
【００５６】
電源プラグ２０２は、第二の端子２０２である。電源プラグ２０２は、例えば、装飾部材２０３の背面側に設けられている。電源プラグ２０２の形状は、商用電源のコンセント（図示せず）に対応した形状であればよく、その形状は問わない。電源プラグ２０２は、少なくとも電極が、未使用時には、装飾部材２０３内に収納可能なプラグであることが好ましい。ここでは、一例として、電源プラグ２０２が、折りたたみ式の電源プラグである場合を例に挙げて説明する。ただし、電源プラグ２０２は、折りたたむことができない電源プラグであってもよい。また、押し出し式の電源プラグや、巻き取り式のコードと接続された電源プラグ等であってもよい。
【００５７】
電源プラグをコンセントに差す必要がない場合、例えば、非充電時等には、図３（ｂ）に示すように、電源プラグ２０２の電極の根元の部分を、電源プラグ２０２の２つの電極２０２ａが装飾部材２０３側に倒れ込むように回転させることで、電源プラグ２０２を装飾部材２０３に設けられたくぼみ２０５に収納しておくことができる。また、電源プラグ２０２をコンセントに差す場合、例えば、充電時等には、図３（ｃ）に示すように、電源プラグ２０２の電極の根元の部分を、電極２０２ａをくぼみ２０５から起こすように回転させることで、電源プラグ２０２を装飾部材２０３突出させて、コンセントに差し込み可能な状態とすることができる。なお、このような電源プラグの折りたたみ構造については、公知技術であるので、詳細な説明は省略する。
【００５８】
なお、ここで挙げた電源プラグ２０２の折りたたみ構造は、一例であり、本発明においては、他のどのような電源プラグの折りたたみ構造を用いるようにしてもよい。
【００５９】
なお、電源プラグ２０２は、構造等の違いを除けば、上述した第二の端子１０２と同様のものであるため、ここでは詳細な説明は省略する。
【００６０】
装飾部材２０３は、折りたたみ式の電源プラグ２０２を収納するくぼみ２０５や、電源プラグ２０２を回動可能に保持する構造（図示せず）を備えている点を除けば、上述した装飾部材１０３と同様であり、ここでは詳細な説明は省略する。
【００６１】
変換器２０４は、第一の端子２０１と第二の端子（ここでは、電源プラグ２０２）との間に接続されている。変換器２０４は、電源プラグ２０２から入力される交流電流を直流電流に変換し、第一の端子２０１に変換した直流電流を出力する。変換器２０４は、例えば、変換の前または後に、電圧を下げる処理等を適宜行ってもよい。変換器２０４は、例えば、いわゆるＡＣ−ＤＣコンバータである。交流電流を直流電流に変換する構成については公知技術であるので、ここでは詳細な説明は省略する。変換器２０４は、通常、装飾部材２０３内に配置されている。
【００６２】
つぎに、本実施の形態の携帯情報端末用アクセサリ２の使用例について説明する。ここでは、携帯情報端末１０００がいわゆるスマートフォンである場合を例に挙げて説明する。
【００６３】
携帯情報端末用アクセサリ２の凸型の第一の端子２０１を、携帯情報端末１０００の凹型の充電用端子１００１に挿入することで、携帯情報端末用アクセサリ１が携帯情報端末１０００に取り付けられる。これにより、携帯情報端末用アクセサリ１は、携帯情報端末１０００を装飾するためのアクセサリとして用いられる。
【００６４】
携帯情報端末１０００に対して充電を行わない場合には、図３（ｂ）に示すように、電源プラグである第二の端子２０２を、装飾部材２０３のくぼみ２０５に収納しておくことで、電源プラグである第二の端子２０２が携帯情報端末１０００を取り扱う際の邪魔にならないようにすることができる。
【００６５】
一方、携帯情報端末１０００に対して充電を行う場合、図３（ｃ）に示すように、電源プラグ２０２を、装飾部材２０３のくぼみ２０５から起こし、図３（ｄ）に示すように、電源プラグ２０２を商用電源のコンセント２０１０に差し込む。電源プラグ２０２がコンセント２０１０に差し込まれると、商用電源から電源プラグ２０２を介して、変換器２０４に交流電流が入力される。入力された交流電流は変換器２０４において変圧され、直流電流に変換されて、第一の端子２０１から出力される。第一の端子２０１から出力された直流電流は、携帯情報端末１０００の充電用端子１００１に入力され、充電用端子１００１に入力される直流電流により携帯情報端末１０００の充電が行われる。
【００６６】
以上のように、本実施の形態によれば、携帯情報端末用アクセサリ２の第一の端子２０１を携帯情報端末１０００の外部接続端子である充電用端子１００１に取り付けることで、携帯情報端末１０００を装飾することができる。また、第二の端子である電源プラグ２０２を商用電源に接続することにより、携帯情報端末用アクセサリ２を携帯情報端末１０００に取り付けた状態で、携帯情報端末１０００の外部接続端子である充電用端子１００１に直流電流を供給して、携帯情報端末１０００の充電を行うことができるため、携帯情報端末１０００の外部接続端子を容易に利用することができる。
【００６７】
なお、図２（ａ）に示したように、第一の端子２０１を、被覆された電線（図示せず）を介して装飾部材２０３と接続した構成として、第一の端子２０１をこの電線を介して変換器２０４に接続するようにしてもよいことはいうまでもない。
【００６８】
（実施の形態３）
本実施の形態は、上記実施の形態１において説明した携帯情報端末用アクセサリの第一の端子をイヤホンプラグとし、第二の端子を、イヤホンジャックとしたものである。
【００６９】
図４は、本実施の形態の携帯情報端末用アクセサリを説明するための斜視図（図４（ａ））、携帯情報端末用アクセサリを携帯情報端末に取り付けた状態を示す斜視図（図４（ｂ））、及び携帯情報端末用アクセサリの変形例を示す斜視図（図４（ｃ））である。
【００７０】
携帯情報端末用アクセサリ３は、イヤホンプラグ３０１と、イヤホンジャック３０２と、装飾部材３０３とを備えている。
【００７１】
イヤホンプラグ３０１は、第一の端子である。イヤホンプラグ３０１は、携帯情報端末１０００の外部接続端子であるイヤホンジャック１００２と接続され得るイヤホンプラグである。イヤホンとは、例えば、耳にあて、または差し込んで音を聞く装置である。ここでのイヤホンとは、いわゆるヘッドホンも含む概念である。イヤホンプラグ３０１は、モノラル用のイヤホンプラグであってもよいし、ステレオ用のイヤホンプラグであってもよい。また、マイク用の端子をさらに備えたイヤホン型のプラグ、例えば４極のステレオミニプラグ等であってもよい。その他の構成については、上述した第一の端子１０１と同様であり、ここでは詳細な説明は省略する。なお、携帯情報端末１０００のイヤホンジャック１００２は、イヤホンプラグ３０１を挿入可能な、音声信号を出力するためのライン出力用ジャックも含む概念と考えてもよい。イヤホンプラグ３０１のその他の構成については、上述した第一の端子１０１と同様であり、ここでは詳細な説明は省略する。
【００７２】
イヤホンジャック３０２は、第二の端子である。イヤホンジャック３０２は、イヤホン３０００等のイヤホンプラグ３００１と接続され得るイヤホンジャックである。ここでのイヤホンジャック３０２は、結果的に、イヤホン３０００のイヤホンプラグ３００１と接続可能なジャックであればよく、実際にイヤホンが接続されるか否かは問わない。例えば、第二の端子であるイヤホンジャック３０２には、イヤホンプラグを有する外部スピーカ（図示せず）等が接続されてもよい。第一の端子であるイヤホンプラグ３０１は、第二の端子であるイヤホンジャック３０２と電気的に接続されている。イヤホンジャック３０２のその他の構成については、上述した第二の端子１０２と同様であり、ここでは詳細な説明は省略する。
【００７３】
装飾部材３０３は、上述した装飾部材１０３と同様のものであり、ここでは詳細な説明は省略する。
【００７４】
つぎに、本実施の形態の携帯情報端末用アクセサリ３の使用例について説明する。ここでは、携帯情報端末１０００がいわゆるスマートフォンである場合を例に挙げて説明する。ただし、携帯情報端末１０００は、他の装置であってもよい。
【００７５】
図４（ｂ）に示すように、携帯情報端末用アクセサリ１のイヤホンプラグ１０１を、携帯情報端末１０００のイヤホンジャック１００２に挿入することで、携帯情報端末用アクセサリ３が携帯情報端末１０００に取り付けられる。これにより、携帯情報端末用アクセサリ３は、携帯情報端末１０００を装飾するためのアクセサリとして用いられる。
【００７６】
次に、携帯情報端末１０００が出力する音声、例えば、音声通話の音声や、携帯情報端末１０００が再生する音楽をイヤホンで聴く場合、ユーザは、携帯情報端末１０００に取り付けられた携帯情報端末用アクセサリ３のイヤホンジャック３０２に、イヤホン３０００のイヤホンプラグ３００１を挿入する。これにより、携帯情報端末１０００がイヤホンジャック１００２から出力した音声信号が、携帯情報端末用アクセサリ３のイヤホンプラグ３０１に入力される。イヤホンプラグ３０１に入力された音声信号は、イヤホンジャック３０２から出力され、イヤホンジャック３０２から出力された音声信号は、イヤホン３０００のイヤホンプラグ３００１に入力され、入力された音声信号が、イヤホン３０００から出力される。これにより、ユーザは、携帯情報端末用アクセサリ３を携帯情報端末１０００に取り付けた状態で、イヤホン３０００から携帯情報端末１０００が出力する音を聴くことができる。
【００７７】
以上のように、本実施の形態によれば、携帯情報端末用アクセサリ３のイヤホンプラグ３０１を携帯情報端末１０００のイヤホンジャック１００２に取り付けた状態で、イヤホンプラグ３００１をイヤホンジャック３０２に接続することにより、イヤホン３０００から携帯情報端末１０００が出力する音声を出力することができるため、携帯情報端末１０００の外部接続端子を容易に利用することができる。
【００７８】
また、携帯情報端末用アクセサリ３のイヤホンプラグを携帯情報端末１０００のイヤホンジャック１００２に取り付けておくことで、イヤホン３０００を利用しない場合においては、携帯情報端末１０００を携帯情報端末用アクセサリ３で装飾することができる。
【００７９】
なお、上記実施の形態３においては、イヤホンプラグ３０１の代わりに、イヤホンジャックを用いるようにしてもよい。また、イヤホンジャック３０２の代わりに、イヤホンプラグを用いるようにしてもよい。つまり、本実施の形態においては、第一の端子及び第二の端子は、イヤホン用の端子であればよい。第一の端子及び第二の端子として、イヤホンジャックとイヤホンプラグとのいずれを用いるかについては、携帯情報端末用アクセサリ３に取り付けられる携帯情報端末１０００の外部接続端子の形状や、イヤホンの端子の形状等に応じて決定するようにすればよい。
【００８０】
また、図２（ａ）に示したように、イヤホンプラグ３０１を、被覆された電線（図示せず）を介して装飾部材３０３と接続した構成としてもよいことはいうまでもない。
【００８１】
（実施の形態４）
本実施の形態は、携帯情報端末用アクセサリに振動センサを設け、振動センサが振動を検知した場合に、携帯情報端末に起動指示を出力して、携帯情報端末を起動させるようにしたものである。図５は、本実施の形態の携帯情報端末用アクセサリを説明するための、携帯情報端末用アクセサリと、この携帯情報端末用アクセサリが取り付けられた携帯情報端末との構成を示すブロック図である。
【００８２】
携帯情報端末用アクセサリ４は、図１（ａ）に示した携帯情報端末用アクセサリ１と同様の、第一の端子１０１、第二の端子１０２、及び装飾部材１０３を備える。
【００８３】
携帯情報端末用アクセサリ４は、さらに、振動センサ４０１と、起動指示出力部４０４とを、装飾部材１０３内に備えている。
【００８４】
振動センサ４０１は、センサ部４０２と、振動検知部４０３とを備えている。
【００８５】
携帯情報端末４０００は、図１（ａ）に示した携帯情報端末１０００と同様の、外部接続端子である充電用端子１００１を備えている。
【００８６】
携帯情報端末４０００は、さらに、起動指示受付部４００１、起動部４００２、処理実行部４００３、操作受付部４００４、及び表示部４００５を備えている。
【００８７】
本実施の形態の携帯情報端末用アクセサリ４は、図１（ｂ）と同様に、例えば、第一の端子１０１が、携帯情報端末４０００の充電用端子１００１に接続されることによって、携帯情報端末４０００に対して取り付けられる。図５は、携帯情報端末用アクセサリ４が携帯情報端末４０００に取り付けられている状態の、携帯情報端末用アクセサリ４と、携帯情報端末４０００とのブロック図を示すものである。
【００８８】
振動センサ４０１は、導電性を有する１以上の球体を備えた接点方式の振動センサである。接点方式の振動センサとは、導電性球体の移動に応じて接点がオン、オフすることによって振動を検知するセンサである。振動センサ４０１は、三軸方向の振動センサ等の無指向の振動センサであることが好ましいが、二軸方向の振動センサ等の、指向性を有する振動センサであってもよい。以下、振動センサ４０１の一例について説明する。
【００８９】
図６は、本実施の形態における携帯情報端末用アクセサリ４の振動センサ４０１の一例を説明するための、振動センサ４０１の鉛直方向に沿った断面図（図６（ａ））及び振動センサ４０１が有するセンサ部４０２の一部切り欠き斜視図（図６（ｂ））である。
【００９０】
センサ部４０２は、球体１０２１、第一電極１０２２及び第二電極１０２３を有している。球体１０２１、第一電極１０２２、及び電極１０２３は、導電性を有している。
【００９１】
球体１０２１は、第一電極１０２２と接触する球体である。球体１０２１は、直径が０．３ｍｍ以上、１．５ｍｍ以下であることが好適である。直径がその範囲内である場合に、球体１０２１が繰り返して衝突したとしても、破損の起こる可能性が低いからである。球体１０２１は、センサ部４０２内において移動可能に設けられている。そして、その移動に応じて、球体１０２１は、第二電極１０２３に接触または非接触となる。球体１０２１は、真球であってもよく、あるいは、センサ部４０２内において移動可能な程度に球に近い形状であってもよい。なお、球体１０２１は、その移動に応じて、第一電極１０２２とも接触または非接触となってもよく、あるいは、第一電極１０２２に対しては絶えず接触するようになっていてもよい。本実施の形態によるセンサ部４０２は、球体１０２１が通常、第一電極１０２２と第二電極１０２３とに接触しているノーマルクローズのセンサである。なお、球体１０２１の大きさ等については、振動を検知するという目的を実現可能な範囲においては、上記以外のどのような大きさであってもよい。かかることは、他の振動センサ４０１の構成要素等の大きさについても同様である。
【００９２】
センサ部４０２の第一電極１０２２は、電極１０２２ａと、電極１０２２ｂとを有する。両電極１０２２ａ，１０２２ｂは、接続されており、１個の電極を形成している。第二電極１０２３は、球体１０２１と接触可能な円環状の形状を有する電極である。第一電極１０２２と、第二電極１０２３とは、非導電性樹脂１０２５によってそれぞれ決められた位置に設けられている。その非導電性樹脂１０２５は、例えば、液晶ポリマー（ＬＣＰ）であってもよく、ＰＰＳ樹脂（ポリフェニレンサルファイド樹脂）であってもよく、フッ素樹脂であってもよく、その他の非導電性の樹脂であってもよい。なお、その非導電性樹脂は、耐熱性を有することが好適である。
【００９３】
図７は、センサ部４０２の第二電極１０２３をセンサ部４０２の上面側からみた模式図（図７（ａ））、及び、第一電極１０２２の電極１０２２ｂをセンサ部４０２の上面側からみた模式図（図７（ｂ））である。
【００９４】
図７（ａ）に示すように、第二電極１０２３の内径は、球体１０２１の直径よりも大きいため、通常、両者は一点で接触する。なお、センサ部４０２が振動する場合には、球体１０２１が第二電極１０２３に接触したり、非接触になったりすることを繰り返すため、それによって振動を検知できる。なお、そのことは、振動が直線的であるときに、より顕著である。
【００９５】
図７（ｂ）に示すように、電極１０２２ａは、円盤状の領域１０２２ａ−１と、その円盤状の領域１０２２ａ−１を囲む円環状の領域１０２２ａ−２と、さらにその領域１０２２ａ−３の外側の領域１０２２ａ−３とを有する。球体１０２１は、通常、円盤状の領域１０２２ａ−１上を移動する。なお、電極１０２２ａの円盤状の領域１０２２ａ−１等と対向する電極１０２２ｂの領域も、電極１０２２ａと同様の形状を有しているものとする。
【００９６】
センサ部４０２において、第一電極１０２２と第二電極１０２３とは、球体１０２１の移動に応じてこの球体１０２１との接触状態が変化することにより、導通状態または非導通状態となる。接触状態とは、例えば、球体１０２１が第一電極１０２２及び第二電極１０２３に同時に接触する状態、球体１０２１が第一電極１０２２及び第二電極１０２３のいずれか一方のみに接触する状態、及び球体１０２１がいずれにも接触しない状態の三つの状態である。導通状態とは、電流が流れ得る状態である。すなわち、センサ部４０２は、第一電極１０２２と第二電極１０２３とが球体１０２１を介して電気的に接続されたり、非接続となったりする。具体的には、第一電極１０２２と第二電極１０２３とは、球体１０２１が第一電極１０２２及び第二電極１０２３に同時に接触する状態において、導通状態となり、その他の接触状態においては、非導通状態となる。
【００９７】
振動検知部４０３は、センサ部４０２の振動を検知する。振動検知部４０３は、第一電極１０２２と、第二電極１０２３とのそれぞれに接続されている。センサ部４０２が振動することによって球体１０２１がセンサ部４０２の内部で移動し、その結果、第一電極１０２２と第二電極１０２３との間で導通・非導通が繰り返されることになる。したがって、振動検知部４０３は、第一電極１０２２と第二電極１０２３との導通状態と、非導通状態とが繰り返される場合（チャタリング）に振動を検知する。具体的には、振動検知部４０３は、単位時間にＮ回以上の導通・非導通（オン・オフ）が繰り返された場合に、振動を検知してもよい。Ｎは２以上の整数である。なお、この振動を検知する振動検知部４０３は公知のものであり、その詳細な説明を省略する。また、その導通・非導通の検知で用いる電圧・電流は、例えば、３Ｖ程度、１〜３μＡ程度であってもよく、あるいは、その他の値であってもよい。
【００９８】
なお、第一電極１０２２、球体１０２１、及び第二電極１０２３は導電性のものであればよく、それらの材質は問わない。例えば、銅やステンレス等の金属であってもよい。なお、球体１０２１は、運動性や第１及び第二電極１０２３，１３との接触性をよくするために、比重の大きい材質であることが好適である。したがって、球体１０２１は、タングステンやステンレス、鋼等の球体であってもよい。また、球体１０２１の表面や、第一電極１０２２及び第二電極１０２３の球体１０２１と接触する範囲の表面が導電性を有していればよいため、それらの表面に導電性に優れている金属薄膜を形成するようにしてもよい。その金属薄膜は、例えば、メッキや、薄膜印刷、コーティング、真空蒸着、スパッタリング等によって成膜されてもよい。その薄膜に用いられる金属は、例えば、ロジウムや白金、ルテニウム等であってもよい。なお、この段落に記載したことは、他のセンサの第一電極及び第二電極や導電性を有する球体についても同様であるとする。
【００９９】
また、センサ部４０２内の球体１０２１が移動しうる空間は、センサ部４０２のオン・オフに悪影響を及ぼす微細な粒子や水分等が入ることを防止するため、封止されることが好適である。また、その封止された内部雰囲気は、真空でもよく、乾燥空気や窒素、ヘリウム、アルゴン、キセノン等でもよい。なお、乾燥空気等を封入する場合には、減圧にして封入してもよい。また、この段落に記載したことは、他のセンサについても同様であるとする。
【０１００】
なお、本実施の形態によるセンサ部４０２の構成は、図６で示されるものに限定されないことは言うまでもない。例えば、導電性を有する１以上の球体を備えた接点方式の振動センサであれば、センサ部４０２は、他の構成であってもよい。例えば、センサ部４０２として、導電性を有する１または２以上の球体と、この１または２以上の球体の移動に応じて、この球体との接触状態が変化することにより、導通状態または非導通状態となる第一電極及び第二電極とを備えている他のセンサ部を利用してもよい。例えば、センサ部４０２として、２以上の球体の移動に応じて、２以上の球体と第一電極及び第二電極との接触関係、及び２以上の球体同士の接触関係が変化することにより、導通状態または非導通状態となる第一電極及び第二電極とを備えている他のセンサ部を利用してもよい。ここでの導通状態とは、１または２以上の球体を介して導通している（電気的に接続されている）状態である。
【０１０１】
図８は、本実施の形態による携帯情報端末用アクセサリのセンサ部の第一の変形例（図８（ａ）、第二の変形例（図８（ｂ）、第三の変形例（図８（ｃ）、第４の変形例（図８（ｄ）、及び第五の変形例（図８（ｅ））を示す模式図である。
【０１０２】
例えば、センサ部４０２として、図６で示した球体１０２１、第一電極１０２２、及び第二電極１０２３を備えたセンサ部４０２に代えて、図８（ａ）〜図８（ｅ）に示すような球体１０２１、第一電極１０２２、及び第二電極１０２３を備えたセンサ部４０２を用いるようにしてもよい。図８（ａ）は、特許第４１５３２１３号公報に記載のものである。図８（ａ）〜図８（ｅ）においても、球体１０２１の直径は、０．３〜１．５ｍｍであってもよい。また、図８（ａ）〜図８（ｅ）においても、導電性球体の直線的な各移動間隔は、２０μｍ以上、５００μｍ以下であってもよい。図８（ａ）〜図８（ｅ）において、図中における球体１０２１と、第一電極１０２２及び第二電極１０２３との位置関係が通常の状態であるとすると、図８（ｂ）、図８（ｃ）、図８（ｄ）に対応するセンサ部４０２は、ノーマリオープンタイプのセンサとなり、図８（ａ）、図８（ｅ）に対応するセンサ部４０２は、ノーマリクローズタイプのものとなる。
【０１０３】
起動指示出力部４０４は、振動センサ４０１が振動を検知した場合に、第一の端子１０１と接続された充電用端子１００１を介して、充電用端子１００１を有する携帯情報端末４０００に起動指示を出力する。
【０１０４】
起動指示とは、第一の端子１０１を介して接続された携帯情報端末４０００を起動する指示である。起動指示は、例えば、携帯情報端末４０００に対し電源を投入（オン）する指示である。ただし、ここでの起動指示とは、例えば、携帯情報端末４０００を待機状態や、休止状態、スリープ状態から解除させる指示（復帰させる指示）を含む概念である。待機状態等から解除とは、例えば、携帯情報端末４０００の、待機状態において停止（オフ）していた機能を利用可能とすること（具体的にはオンすること）である。なお、待機状態において利用できなかった一部の機能のうちの少なくとも一以上の機能を利用可能となるようにする指示を、起動指示と考えてもよい。
【０１０５】
待機状態とは、例えば、キーやボタンやタッチパネル等のユーザが操作する入力デバイスや、加速度センサ、ジャイロセンサ、ＧＰＳ通信モジュール、モニタ等の、携帯情報端末４０００が有している電子デバイスを停止した状態や、停止したモードである。ここでの停止とは、電力を消費しない状態とすることであり、電源のオフ等と考えてもよい。休止状態や、スリープ状態についても同様である。ただし、待機状態と、休止状態と、スリープ状態とにおいて、停止される機能やデバイスが適宜異なるようにしてもよい。なお、待機状態においては、電話やメール等を受け取るための機能やモジュール等は、起動した状態であってもよい。
【０１０６】
起動指示出力部４０４は、振動センサ４０１が検知した振動が、予め指定された条件を満たす場合に、起動指示を出力するようにしてもよい。例えば、振動センサ４０１が、予め指定された時間以上振動を検出している場合に起動指示を出力するようにしてもよい。また、振動センサ４０１が、予め指定された頻度で振動を検出している場合に起動指示を出力してもよい。予め指定された頻度とは、例えば、予め指定された時間内の振動の検出回数や、予め指定された時間以内の時間を隔てて予め指定された回数以上の振動が検出されることである。このようにすることで、携帯情報端末４０００を利用する際に発生する振動以外の振動では、携帯情報端末４０００を起動させないようにすることができる。
【０１０７】
また、起動指示出力部４０４は、振動センサ４０１が振動を検知している間は、起動指示や、携帯情報端末４０００を待機状態等に移行させないようにするための起動状態継続指示を、携帯情報端末４０００に出力するようにしてもよい。通常携帯情報端末４０００においては、電力消費を抑えるために、ユーザの操作を一定時間受け付けなかった場合、待機状態や、休止状態やスリープ状態に移行するような機能を有しているため、例えば、携帯情報端末４０００で情報を閲覧している状態であっても、ユーザの操作が行われなければ、待機状態に移行してしまうという不都合があった。しかしながら、上記のように振動を検知している間に、起動指示や、起動状態継続指示を送信することで、例えば、ユーザが携帯情報端末４０００を手で保持している間であれば、ユーザが一定時間操作を行わなくても、待機状態等へ移行しないようにすることができる。
【０１０８】
ここでの出力とは、外部の装置への送信、他の装置や他のプログラムなどへの処理結果の引渡しなどを含む概念である。
【０１０９】
なお、携帯情報端末用アクセサリ４は、例えば、ボタン型電池等の電源（図示せず）を有していてもよい。ただし、電源を設ける代わりに、携帯情報端末用アクセサリ４が接続された携帯情報端末４０００から、第一の端子１０１等を介して電力の供給を受けるようにしてもよい。
【０１１０】
携帯情報端末４０００は、例えば、いわゆるスマートフォン等の多機能携帯電話や、携帯電話、ＰＤＡ（Ｐｅｒｓｏｎａｌ  Ｄｉｇｉｔａｌ  Ａｓｓｉｓｔａｎｔ）、タブレット型端末、電子手帳、電子ブックリーダ、携帯ゲーム機等である。携帯情報端末４０００は、携帯情報端末用アクセサリ４を着脱可能に接続可能な端末である。携帯情報端末４０００は、例えば、携帯情報端末用アクセサリ４からの起動指示に応じて起動することが可能な装置である。
【０１１１】
起動指示受付部４００１は、携帯情報端末用アクセサリ４から出力される起動指示を、例えば、充電用端子１００１を介して受け付ける。また、起動指示受付部４００１は、携帯情報端末用アクセサリ４から出力される起動状態継続指示を、さらに、充電用端子１００１を介して受け付けるようにしてもよい。ここでの起動指示等の受付は、起動指示等の入力受付や受信と考えてもよい。
【０１１２】
起動部４００２は、起動指示受付部４００１が受け付けた起動指示に応じて、携帯情報端末４０００の起動を行う。例えば、起動部４００２は、起動指示に応じて携帯情報端末４０００に対し電源を投入（オン）する。また、起動部４００２が、例えば、起動指示に応じて携帯情報端末４０００を待機状態や、休止状態、スリープ状態から解除（復帰）させることも、ここでは起動指示に応じた起動と考えてもよい。例えば、起動部４００２は、携帯情報端末４０００の待機状態において利用できなかった一部の機能のうちの少なくとも一以上の機能を、利用可能となるようにする。例えば、起動部４００２は、停止状態（オフ状態）にあるキーやボタンやタッチパネル等のユーザが操作する入力デバイスや、加速度センサ、ジャイロセンサ、ＧＰＳ通信モジュール、モニタ等の、携帯情報端末４０００が有している電子デバイスに対し、起動指示に応じて電力を供給する。また、ここでの起動とは、携帯情報端末４０００を起動以外の操作が不可である状態から、操作可能な状態とすることと考えてもよい。
【０１１３】
起動部４００２は、例えば、図示しない電力を供給する電源や、その電力供給を制御部（図示せず）等に、電力供給を行う指示や制御信号等を送信することにより、携帯情報端末４０００の起動を行う。起動部４００２は、例えば、上述したような携帯情報端末４０００を構成する２以上の各電子デバイスやモジュール等を、予め指定された順番で起動させる。
【０１１４】
また、起動部４００２は、起動指示受付部４００１が受け付けた起動状態継続指示に応じて、この起動状態継続指示が出力されている間は、携帯情報端末４０００を待機状態や、休止状態や、スリープ状態に移行させないようにしてもよい。
【０１１５】
処理実行部４００３は、予め指定された処理を実行する。例えば、操作受付部４００４が受け付けた操作に応じた処理を実行する。例えば、処理実行部４００３は、図示しない記憶媒体等に格納されているアプリケーションプログラム等を、操作受付部４００４が受け付けた操作に応じて実行する。
【０１１６】
処理実行部４００３は、通常、ＭＰＵやメモリ等から実現され得る。処理実行部４００３の処理手順は、通常、ソフトウェアで実現され、当該ソフトウェアはＲＯＭ等の記録媒体に記録されている。但し、ハードウェア（専用回路）で実現しても良い。
【０１１７】
操作受付部４００４は、ユーザが入力する操作を受け付ける。操作受付部４００４は、例えば、操作を、図示しないテンキーやキーボードやタッチパネル等の入力デバイスを介して受け付ける。操作受付部４００４は、これらの入力手段のデバイスドライバーや、メニュー画面の制御ソフトウェア等で実現され得る。
【０１１８】
表示部４００５は、処理実行部４００３が実行した処理結果等を表示する。表示部４００５は、ディスプレイデバイスを含むと考えても含まないと考えても良い。表示部４００５は、ディスプレイデバイスのドライバーソフトまたは、ディスプレイデバイスのドライバーソフトとディスプレイデバイス等で実現され得る。
【０１１９】
なお、図示していないが、携帯情報端末４０００は、加速度センサ、ジャイロセンサ、ＧＰＳ通信モジュール等の電子デバイスやモジュールや、モニタ等を有していてもよい。また、上述した処理実行部４００３は、これらのデバイス等が出力する情報等を利用して、処理を実行してもよい。また、携帯情報端末４０００が、音声情報等の情報を送受信するアンテナや送受信部等（図示せず）を備えていてもよいことはいうまでもない。
【０１２０】
次に、携帯情報端末用アクセサリ４の動作の一例について説明する。
まず、振動センサ４０１は、振動を検知したか否かを判断する。振動センサ４０１が振動を検知しなかった場合、再度振動を検知したか否かの判断を繰り返す。
【０１２１】
振動センサ４０１が振動を検知した場合、起動指示出力部４０４は、振動センサ４０１が検知した振動が、予め指定された条件を満たすか否かを判断する。この条件は、図示しない記憶媒体に予め格納されていてもよいし、この条件は、判断処理を行うアルゴリズムに組み込まれた条件であってもよい。
【０１２２】
振動センサ４０１が検知した振動が、予め指定された条件を満たさない場合、起動指示の出力は行わず、再度、振動センサ４０１が、上述した振動検知の判断処理を行う。
【０１２３】
振動センサ４０１が検知した振動が、予め指定された条件を満たす場合、起動指示出力部４０４は、起動指示を接続端子を介して携帯情報端末４０００に送信する。そして、再度、振動センサ４０１が、上述した振動を検知する処理に戻る。なお、上記の処理は、電源オフや処理終了の割り込みにより終了してよい。
【０１２４】
次に、携帯情報端末４０００が、携帯情報端末用アクセサリ４から起動指示を受け付けた場合の処理について説明する。なお、通常の携帯情報端末４０００がアプリケーションプログラム等を実行する処理や、携帯情報端末４０００の電源オフの操作を受けた場合の処理や、携帯情報端末４０００が待機状態に移行する処理等については、ここでは説明を省略する。、
【０１２５】
起動指示受付部４００１は、充電用端子１００１を介して、携帯情報端末用アクセサリ４から起動指示を受け付けたか否かを判断する。受け付けていない場合、再度、起動指示を受け付けたか否かの判断処理を繰り返す。起動指示受付部４００１が起動指示を受け付けたと判断した場合、起動部４００２は、携帯情報端末４０００を起動する。そして、表示部４００５は、例えば、図示しないモニタ等に起動後の画面等を表示する。
【０１２６】
なお、携帯情報端末４０００が既に起動している状態である場合、例えば、電源オフの状態、待機状態、休止状態、及びスリープ状態のいずれでもない場合、起動指示を受け付けたか否かの判断処理を起動指示受付部４００１が行わないようにしてもよい。
【０１２７】
次に、本実施の形態の具体例について説明する。ここでは、携帯情報端末４０００が、いわゆるスマートフォンと呼ばれる多機能携帯電話である場合を例に挙げて説明する。また、携帯情報端末用アクセサリ４が、図６に示すような振動センサ４０１を有しているものとする。
【０１２８】
図１（ｂ）と同様に、携帯情報端末用アクセサリ４の凸型の第一の端子１０１を、携帯情報端末４０００の凹型の充電用端子１００１に挿入することで、携帯情報端末用アクセサリ４が携帯情報端末１０００に取り付けられる。これにより、携帯情報端末用アクセサリ１は、携帯情報端末１０００を装飾するためのアクセサリとして用いられる。
【０１２９】
ここで、例えば、携帯情報端末４０００の起動中に、携帯情報端末４０００の上面等に設けられた電源スイッチ（図示せず）等をユーザが押したことにより、携帯情報端末４０００が待機状態となり、携帯情報端末用アクセサリ４が取り付けられた状態の携帯情報端末４０００が、図示しない安定したテーブル上に載置されていたとする。この待機状態は、例えば、電話の受信及びメールの受信のみが可能な状態であり、他の処理を行う図示しない処理部やデバイス等は、停止状態であるとする。ただし、電話の受信及びメールの受信もできない状態であってもよい。
【０１３０】
テーブル上に置かれた状態では、振動センサ４０１が振動を検知しないため、携帯情報端末用アクセサリ４は起動指示の出力を行わない。
【０１３１】
ユーザが、携帯情報端末４０００を利用するために、テーブル上の携帯情報端末４０００を手に持って、テーブルから持ち上げたとする。この動作によって、振動センサ４０１のセンサ部４０２の球体１０２１がセンサ部４０２内を移動して、第一電極１０２２と第二電極とに同時に接触する状態と、同時に接触しない状態とを繰り返す。これにより、第一電極１０２２と第二電極１０２３との間において、導通状態と非導通状態とが繰り返され、振動検知部４０３が、第一電極１０２２と第二電極１０２３との間の導通状態と非導通状態との繰り返しを検知する。そして、予め指定された時間内において検知した繰り返しの回数が閾値以上である場合に、振動検知部４０３は、振動を検知したことを示す情報を起動指示出力部４０４に出力する。
【０１３２】
起動指示出力部４０４は、振動検知部４０３が出力する振動を検知したことを示す情報を受け付けると、最初に受信した時点からの時間の計測を図示しない時計等を用いて開始するとともに、振動検知部４０３から最初に受信した時点以降に出力される振動を検知したことを示す情報の受信数をカウントする。そして、計測した時間が、予め指定された時間となるまでにカウントした振動を検知したことを示す情報の受信数が閾値以上である場合、起動指示出力部４０４は、起動指示を送信するための条件を満たすと判断する。ここでの予め指定された時間は、上記の振動検知部４０３が振動を検知する際に利用する時間よりも長い時間とする。また、この時間は、数秒未満、好ましくは１秒未満であることが好ましい。なお、閾値未満である場合、条件を満たさないと判断し、起動指示を送信せず、再度、振動センサ４０１により振動を検知する処理を行う。
【０１３３】
ここでは、例えば、予め指定された時間内においてカウントした振動を検知したことを示す情報の受信数が、閾値以上であったとすると、起動指示出力部４０４は、起動指示を送信するための条件を満たすと判断して、第一の端子１０１を介して起動指示を携帯情報端末４０００に送信する。
【０１３４】
携帯情報端末４０００の起動指示受付部４００１は、充電用端子１００１を介して、携帯情報端末用アクセサリ４から起動指示を受け付ける。そして、起動部４００２は、起動指示受付部４００１が受け付けた起動指示に応じて、携帯情報端末４０００を起動させる。ここでは、起動部４００２は、携帯情報端末４０００を、待機状態から通常の起動状態に復帰させる。そして、例えば、表示部４００５が図示しないモニタ等に、携帯情報端末４０００の操作画面等を出力する。そして、処理実行部４００３は、例えば、操作受付部４００４が受け付けた操作に応じた処理を実行する。
【０１３５】
また、携帯情報端末４０００に対して充電等を行う場合、上述した実施の形態１と同様に、第二の端子１０２に、商用電源と接続した電源装置２０００の外部出力端子２００１等を接続するようにすればよい。
【０１３６】
以上、本実施の形態によれば、上記実施の形態１と同様の効果を奏することができる。
【０１３７】
さらに、本実施の形態によれば、ユーザが携帯情報端末や、携帯情報端末用アクセサリに触れた際（例えば手に持つ際）の振動を検知して携帯情報端末の起動を行うため、ユーザが携帯情報端末を操作する際の、携帯情報端末を起動状態にするまでの待ち時間を短縮することができる。
【０１３８】
例えば、ユーザが携帯情報端末４０００を利用するために手に持った直後から携帯情報端末４０００の起動を行うようにして、ユーザが起動する操作等を行うよりも前に、携帯情報端末４０００を起動を開始することができるため、携帯情報端末４０００を利用できるようにするまでの実質的な待ち時間を短くすることができる。この結果、例えば、省電力化を図るために、携帯情報端末を頻繁に電源オフや待機状態にして利用する場合においても、再度利用する際の起動による待ち時間を軽減して、利用時の利便性を損なわないようにすることができる。
【０１３９】
なお、本実施の形態の携帯情報端末用アクセサリ４の第二の端子は、例えば、上記実施の形態２において説明したような電源プラグであってもよく、このような場合においても、上記実施の形態４と同様の効果を奏する。
【０１４０】
また、上記実施の形態４においては、携帯情報端末４０００の充電用端子１００１に、携帯情報端末用アクセサリ４の第一の端子１０１を接続するようにしたが、本発明においては、携帯情報端末用アクセサリの第一の端子及び第二の端子は、充電に利用される端子以外の電流や電気信号等が入出力される端子、例えば、上記実施の形態３において説明したようなイヤホン用の端子等の、音声の入力や出力が行われる端子であってもよく、この場合、第一の端子を、携帯情報端末の充電用端子以外の他の外部接続端子、例えばイヤホン用の端子やＵＳＢ端子等に適宜接続するようにしてもよい。このような場合においても、上記実施の形態４と同様の効果を奏する。ただし、この場合の携帯情報端末は、この第一の端子と接続された外部接続端子に入力される起動指示により起動可能なものであるとする。
【０１４１】
なお、上記実施の形態４においては、携帯情報端末用アクセサリ４が装飾性部材１０３を有する場合について説明したが、本発明の携帯情報端末用アクセサリは、上記実施の形態４において説明した携帯情報端末用アクセサリにおいて装飾性部材を有さないようにしたものであってもよい。即ち、本発明の携帯情報端末用アクセサリは、携帯情報端末の外部接続端子に接続される第一の端子と、この第一の端子と電気的に接続された第二の端子と、導電性を有する１以上の球体を備えた接点方式の振動センサと、この振動センサが振動を検知した場合に、上記の第一の端子と接続された外部接続端子を介して、この外部接続端子を有する携帯情報端末に起動指示を出力する起動指示出力部と、を備えた携帯情報端末用アクセサリであってもよい。このような場合においても、上記実施の形態４と同様の効果を奏する。
【０１４２】
なお、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、格納部（例えば、ハードディスクやメモリ等の記録媒体）にアクセスしながらプログラムを実行してもよい。
【０１４３】
本発明は、以上の実施の形態に限定されることなく、種々の変更が可能であり、それらも本発明の範囲内に包含されるものであることは言うまでもない。
【産業上の利用可能性】
【０１４４】
以上のように、本発明にかかる携帯情報端末用アクセサリは、携帯情報端末に取り付けられるアクセサリとして適しており、特に、携帯情報端末を装飾するために、携帯情報端末に常時取り付けられて利用されるアクセサリ等として有用である。
【符号の説明】
【０１４５】
１、２、３、４  携帯情報端末用アクセサリ
１０１、２０１、３０１  第一の端子
１０２、２０２、３０２  第二の端子
１０３、１０３ａ、２０３、３０３  装飾部材
１０４  コード
２０２ａ  電極
２０４  変換器
４０１  振動センサ
４０２  センサ部
４０３  振動検知部
４０４  起動指示出力部
１０００、４０００  携帯情報端末
１００１  充電用端子
１００２  イヤホンジャック
２０００  電源装置
２００１  外部出力端子
２００２  電源プラグ
３０００  イヤホン
３００１  イヤホンプラグ
４００１  起動指示受付部
４００２  起動部
４００３  処理実行部
４００４  操作受付部
４００５  表示部
【図１】
2015095852.tif 000003
【図２】
2015095852.tif 000004
【図３】
2015095852.tif 000005
【図４】
2015095852.tif 000006
【図５】
2015095852.tif 000007
【図６】
2015095852.tif 000008
【図７】
2015095852.tif 000009
【図８】
2015095852.tif 000010